(57)【要約】  本発明によると、複数の水平フレームと、前記複数の水平フレームと結合される複数の垂直フレームとが互いに立体的に結合され、四角枠形状の構造物をなすフレーム；両側が互いに隣接するように垂直に交差された前記各フレームの内側にそれぞれ締結された複数の連結片；前記四角枠構造物の上・下端の水平フレームの外側にそれぞれ配置される第１プロファイル；前記四角枠構造物のコーナー側の前記垂直フレームに対応するように起立配置される第２プロファイル；及び前記各連結片に締結される中央部と、前記中央部の一側に延長され、前記第１プロファイルを固定させる第１延長部と、前記中央部の他側に延長され、前記第２プロファイルを固定させる第２延長部とからなるブラケット；を含む組立式ブースが提供される。
2020506315.tif 000002
【特許請求の範囲】
【請求項１】
複数の水平フレーム（１１）と、前記複数の水平フレーム（１１）と結合される複数の垂直フレーム（１２）とが互いに立体的に結合され、四角枠形状の構造物をなすフレーム（１０）；
両側が互いに隣接するように垂直に交差された前記各フレーム（１１）（１２）の内側にそれぞれ締結された複数の連結片（２０）；
前記四角枠構造物の上・下端の水平フレーム（１１）の外側にそれぞれ配置される第１プロファイル（３０）；
前記四角枠構造物のコーナー側の前記垂直フレーム（１２）に対応するように起立配置される第２プロファイル（４０）（５０）；及び
前記各連結片（２０）に締結される中央部（６１）と、前記中央部（６１）の一側に延長され、前記第１プロファイル（３０）を固定させる第１延長部（６２）と、前記中央部（６１）の他側に延長され、前記第２プロファイル（４０）（５０）を固定させる第２延長部（６３）と、からなるブラケット（６０）；を含み、
前記第１プロファイル（３０）には、ファブリック材質のパネル（Ｐ）の水平側端部が挿入されて固定され得る単一の第１挿入溝（３０ａ）がその長さ方向に形成され、
前記第２プロファイル（４０）（５０）には、ファブリック材質のパネル（Ｐ）の垂直側端部が挿入されて固定され得る一対の第２挿入溝（４０ａ）（５０ａ）がその長さ方向にそれぞれ形成されたことを特徴とする組立式ブース。
【請求項２】
前記第２プロファイル（４０）（５０）の上・下端には、前記第２挿入溝（４０ａ）（５０ａ）と前記第１プロファイル（３０）の第１挿入溝（３０ａ）とをつなぐ連結溝（４５ａ）（５５ａ）がそれぞれ形成されたキャップ（４５）（５５）がそれぞれ設置されたことを特徴とする、請求項１に記載の組立式ブース。
【請求項３】
前記ブラケット（６０）の第１及び第２延長部（６２）（６３）には、第１及び第２係止溝（６２ａ）（６３ａ）がそれぞれ形成されたことを特徴とする、請求項１に記載の組立式ブース。
【請求項４】
前記第１プロファイル（３０）の一端には、前記第１延長部（６２）の第１係止溝（６２ａ）に挿入されて係止される第１係止突起（３１）が設置されたことを特徴とする、請求項３に記載の組立式ブース。
【請求項５】
前記第２プロファイル（４０）の両端には、前記第２延長部（６３）の第２係止溝（６３ａ）に挿入されて係止される第２係止突起（４１）が一対に対称的に設置されたことを特徴とする、請求項４に記載の組立式ブース。
【請求項６】
いずれか一つの第２プロファイル（４０）は、前記四角枠構造物の外側コーナーに設置されるようにいずれか一つの垂直フレーム（１２）を覆って形成され、
他の一つの第２プロファイル（５０）は、前記四角枠構造物の内側コーナーに設置され、両側が隣接した一対の垂直フレーム（１２）と面接触するように配置されることを特徴とする、請求項１に記載の組立式ブース。
【請求項７】
前記パネル（Ｐ）は、四角形状からなり、一面の枠に一定厚さの嵌め部材（Ｂ）がそれぞれ固定設置されたことを特徴とする、請求項１に記載の組立式ブース。
【発明の詳細な説明】
【技術分野】
【０００１】
本発明は、広い空間の一部を区画し、公演や展示などの行事のために使用される組立式ブースに関する。
【背景技術】
【０００２】
一般に、組立式ブースは、複数のフレームで形成される骨組みを互いに連結し、複数の柱を形成することはもちろん、形成された各柱間の上下をつなぐ構造で一体化された単一の構造物からなる。
【０００３】
前記フレームは、一定の重量を有する鉄筋で骨組みを形成し、空間を区画すると共に、木材からなる板状のパネルを固定設置することによって、視覚的にも空間を区分させて使用することが一般的である。
【０００４】
このとき、前記パネルは、現場の状況に合わせて適切な大きさに切断された後、前記フレームに釘又はボルトを用いて固定されて使用され、行事（公演、展示など）が終了すると前記組立式ブースと共に解体される。
【０００５】
ところが、このような従来の組立式ブースは、パネルに広告印刷物を付着させる工程が別途に追加されることによって設置及び製作費用が増加するようになり、骨組みの解体時に発生する木材材質のパネルの廃棄物が環境汚染の原因となる。
【０００６】
先行技術文献としては、韓国登録実用新案公報第２０−０４５５２５１号、「プロファイルを用いた組立式ブース」（公告日付：２０１１年０８月２６日）がある。
【発明の概要】
【発明が解決しようとする課題】
【０００７】
本発明は、前記のような問題を解決するためになされたものであって、木材材質のパネルをファブリック材質のパネルに取り替えることができる組立式ブースを提供することを目的とする。
【課題を解決するための手段】
【０００８】
前記のような目的を達成するために、本発明の一側面に係る組立式ブースは、複数の水平フレームと、前記複数の水平フレームと結合される複数の垂直フレームとが互いに立体的に結合され、四角枠形状の構造物をなすフレーム；両側が互いに隣接するように垂直に交差された前記各フレームの内側にそれぞれ締結された複数の連結片；前記四角枠構造物の上・下端の水平フレームの外側にそれぞれ配置される第１プロファイル；前記四角枠構造物のコーナー側の前記垂直フレームに対応するように起立配置される第２プロファイル；及び前記各連結片に締結される中央部と、前記中央部の一側に延長され、前記第１プロファイルを固定させる第１延長部と、前記中央部の他側に延長され、前記第２プロファイルを固定させる第２延長部とからなるブラケット；を含み、前記第１プロファイルには、ファブリック材質のパネルの水平側端部が挿入されて固定され得る単一の第１挿入溝がその長さ方向に形成され、前記第２プロファイルには、ファブリック材質のパネルの垂直側端部が挿入されて固定され得る一対の第２挿入溝がその長さ方向にそれぞれ形成されたことを特徴とする。
【発明の効果】
【０００９】
上述したように、本発明に係る組立式ブースによると、既存の木材材質のパネルをファブリック材質のパネルに取り替えることによって、資源の再利用が可能であることはもちろん、環境汚染を最小化できるという長所がある。
【００１０】
また、ファブリックが複合的にパネルと広告印刷物の機能を有することによって、設置及び製作費用を節減させることができる。
【図面の簡単な説明】
【００１１】
【図１】本発明の一実施例に係る組立式ブースの一部分を示した斜視図である。
【００１２】
【図２】図１の「Ａ」部分を拡大して示した図である。
【００１３】
【図３】図１のいずれか一つの第２プロファイル４０を示した斜視図である。
【００１４】
【図４】図３の分解図である。
【００１５】
【図５】図１の他の一つの第２プロファイル５０を示した斜視図である。
【００１６】
【図６】図５の分解図である。
【００１７】
【図７】図１の第１プロファイル３０を示した斜視図である。
【００１８】
【図８】本発明の一実施例に係る組立式ブースの設置状態の内側を示す図である。
【００１９】
【図９】図８の外側を示した図である。
【発明を実施するための形態】
【００２０】
以下、添付の図面を参照して、本発明の一実施例に係る組立式ブースに対して詳細に説明する。
【００２１】
これに先立って、本明細書及び特許請求の範囲に使用された用語や単語は、通常的又は辞典的な意味に限定して解釈してはならず、発明者が自身の発明を最善の方法で説明するために用語の概念を適宜定義できるという原則に立脚し、本発明の技術的思想に符合する意味及び概念で解釈しなければならない。
【００２２】
したがって、本明細書に記載の実施例及び図面に示した構成は、本発明の最も好ましい一実施例に過ぎず、本発明の技術的思想を全て代弁するものではないので、本出願時点において、これらに取って代わる多様な均等物及び変形例があり得ることを理解しなければならない。
【００２３】
図１は、本発明の一実施例に係る組立式ブースの一部分を示した斜視図で、図２は、図１の「Ａ」部分を拡大して示した図であり、図３は、図１のいずれか一つの第２プロファイル４０を示した斜視図であり、図４は、図３の分解図で、図５は、図１の他の一つの第２プロファイル５０を示した斜視図であり、図６は、図５の分解図であり、図７は、図１の第１プロファイルを示した斜視図である。
【００２４】
図１に示したように、本発明の一実施例に係る組立式ブースは、複数のフレーム１０；複数の連結片２０；第１プロファイル３０；前記第２プロファイル４０、５０；及びブラケット６０；を含む。
【００２５】
ここで、前記フレーム１０は、四角柱形状に水平に配置される複数の水平フレーム１１と、各端部に六面体１３を介在させ、前記複数の水平フレーム１１と直交するように結合される複数の垂直フレーム１２とが互いに立体的に結合されることによって四角枠形状の構造物をなすことができる。
【００２６】
各水平フレーム１１の各面の長さ方向には、いずれか一つの連結片２０がねじ結合され得るスロットホール１１ａがそれぞれ形成され、各垂直フレーム１２の各面の長さ方向には、同様に、他の一つの連結片２０がねじ結合され得る他のスロットホール１２ａが形成される。このような前記スロットホール１１ａ、１２ａには、いずれか一つのフレーム１０と隣接するように結合される他の一つのフレーム１０がねじ結合されるように少なくとも一つの貫通口（図示せず）がそれぞれさらに形成され得る。
【００２７】
前記六面体１３は正六面形状からなり、前記各フレーム１１、１２の端部とねじ結合されるように各面から内部と通じる通孔（図示せず）が前記六面体１３に設けられることが好ましい。
【００２８】
併せて、前記各連結片２０は、両側が互いに隣接するように垂直に交差された前記各フレーム１１、１２の内側にそれぞれ締結され、前記フレーム１０の枠構造物をより安全に支持することができる。このような前記各連結片２０は、上述したように、前記各フレーム１１、１２のスロットホール１１ａ、１２ａにそれぞれねじ結合され得る。このために、前記各連結片２０の両側にねじ結合具（図示せず）がそれぞれ設けられることは当然である。
【００２９】
一方、前記第１プロファイル３０は、前記四角枠構造物の上・下端の水平フレーム１１の外側にそれぞれ配置され、前記ブラケット６０を通じて前記水平フレーム１１に支持され得る。このような前記第１プロファイル３０には、ファブリック材質のパネルＰ（図２参照）の水平側端部が挿入されて固定され得る単一の第１挿入溝３０ａがその長さ方向に形成される。
【００３０】
また、前記第２プロファイル４０、５０は、前記四角枠構造物のコーナー側の前記フレーム１０の外側に起立するように配置される。
【００３１】
このうちいずれか一つの第２プロファイル４０は、図３及び図４に示したように、前記四角枠構造物の外側コーナーに設置されるようにいずれか一つの垂直フレーム１２を覆って形成され得る。一方、他の一つの第２プロファイル５０は、図５及び図６に示したように、前記四角枠構造物の内側コーナーに設置され、両側が隣接した一対の垂直フレーム１２と面接触するように配置され得る。
【００３２】
このような前記第２プロファイル４０、５０には、ファブリック材質のパネルＰ（図２参照）の垂直側端部が挿入されて固定され得る一対の第２挿入溝４０ａ、５０ａがそれぞれその長さ方向に形成されることが好ましい。
【００３３】
そして、前記第２プロファイル４０、５０の上・下端には、前記第２挿入溝４０ａ、５０ａと前記第１プロファイル３０の第１挿入溝３０ａとをつなぐ連結溝４５ａ、５５ａがそれぞれ形成されたキャップ４５、５５がそれぞれボルト結合され得る。
【００３４】
一方、前記ブラケット６０は、図２に示したように、前記各連結片２０にボルト結合される中央部６１と、前記中央部６１の一側に延長され、前記第１プロファイル３０を固定させる第１延長部６２と、前記中央部６１の他側に延長され、前記第２プロファイル４０、５０を固定させる第２延長部６３とからなる。
【００３５】
前記ブラケット６０の第１及び第２延長部６２、６３には、後述する第１係止突起３１及び後述するいずれか一つの第２係止突起４１にそれぞれ対応する第１及び第２係止溝６２ａ、６３ａがそれぞれ形成され得る。
【００３６】
これと共に、前記第１プロファイル３０の一端には、図７に示したように、前記第１延長部６２の第１係止溝６２ａに挿入されて係止される第１係止突起３１が設置され、いずれか一つの第２プロファイル４０の両端には、図４に示したように、前記第２延長部６３の第２係止溝６３ａに挿入されて係止される第２係止突起４１が一対に対称的に設置され得る。
【００３７】
前記パネルＰは、四角形状からなり、一面の枠に一定厚さの嵌め部材Ｂ（図２参照）がそれぞれ固定設置され得る。このような前記パネルＰは、組立式ブースの広さ（高さ及び幅）に合わせて製作され、各種広告物が印刷された状態で使用可能である。そして、前記嵌め部材Ｂは、前記パネルＰの枠に一体に縫製（又は接着）されて構成される。
【００３８】
以下、図面を参照して、上述した本発明の組立式ブースの作用に対して説明する。
【００３９】
図８は、本発明の一実施例に係る組立式ブースの設置状態の内側を示した図であり、図９は、組立式ブースの設置状態の外側を示した図である。
【００４０】
図８及び図９に示したように、四角形状の前記パネルＰの上・下枠に設置された嵌め部材Ｂをそれぞれ折った後、前記四角枠構造物の上・下端の水平フレーム１１の外側に固定された前記第１プロファイル３０の第１挿入溝３０ａにそれぞれ嵌め込み、前記パネルＰの左右枠に設置された嵌め部材Ｂをそれぞれ折った後、いずれか一つの第２プロファイル４０の第２挿入溝４０ａ又は他の一つの第２プロファイル５０の第２挿入溝５０ａに嵌め込むことによって、前記パネルＰを張りのある状態で設置するようになる。
【００４１】
このように、図８及び図９は、前記パネルＰが組立式ブースの外側面にそれぞれ設置されたことを示している。但し、前記パネルＰは、図８及び図９には設置されていないが、内側面にも重複して設置可能であることは当然である。
【００４２】
一方、公演や展示などの行事が終了すると、設置された本発明の組立式ブースは解体されるが、このとき、各プロファイル３０、４０、５０にそれぞれ挿入された嵌め部材Ｂを取り出した後、前記パネルＰを折ることによって別途に保管及び再利用できるようになる。
【００４３】
上述した本発明の組立式ブースによると、既存の木材材質のパネルをファブリック材質のパネルに取り替えることによって、資源の再利用が可能であることはもちろん、環境汚染を最小化できるという長所がある。
【００４４】
また、ファブリックが複合的にパネルと広告印刷物の機能を有することによって、設置及び製作費用を節減させることができる。
【００４５】
図１〜図９において、図面符号１０はフレーム、１１は水平フレーム、１１ａはスロットホール、１２は垂直フレーム、１２ａはスロットホール、１３は六面体、２０は連結片、３０は第１プロファイル、３０ａは第１挿入溝、４０、５０は第２プロファイル、４１は第２係止突起、４０ａ、５０ａは第２挿入溝、４５、５５はキャップ、６０はブラケット、６１は中央部、６２は第１延長部、６２ａは第１係止溝、６３は第２延長部、６３ａは第２係止溝、Ｐはパネル、Ｂは嵌め部材を示す。
【００４６】
以上のように、本発明は、限定された実施例及び図面に基づいて説明したが、これに限定されるものではなく、発明の属する技術分野で通常の知識を有する者によって本発明の技術思想及び下記に記載する特許請求の範囲の均等範囲内で多様な修正及び変形が可能であることは当然である。
【図１】
2020506315.tif 000003
【図２】
2020506315.tif 000004
【図３】
2020506315.tif 000005
【図４】
2020506315.tif 000006
【図５】
2020506315.tif 000007
【図６】
2020506315.tif 000008
【図７】
2020506315.tif 000009
【図８】
2020506315.tif 000010
【図９】
2020506315.tif 000011
【国際調査報告】
2020506315.tif 000012
2020506315.tif 000013
2020506315.tif 000014
2020506315.tif 000015